(57)【要約】【課題】機器の位置データ（設置位置情報）を容易に測定，設定できる設置位置情報測定システム、及び設置位置情報測定方式を提供する。【解決手段】トリガー信号を受信したトリガー入力部３５によってイベント通知をされた処理判断部３３は、機器データ保存部３４から機器データを取得して有線通信部３２から設置位置情報測定器２への機器データの送信を行う。有線通信部２３を介して機器データを受信した設置位置情報測定器２の処理判断部２２は位置測定部２１に対して現在の位置データの取得を要求し、位置測定部２１は位置情報発信器１ａ〜１ｎが発信する電波から時刻情報と自器が持つ時刻情報との差を計算することで自器の位置データを測定して取得する。設置位置情報測定器２は取得した位置データ、機器データをデータ保存部２５に保存する。【選択図】　　　　図１
2004061246.tif 000002
【特許請求の範囲】
【請求項１】
位置データを測定するための情報を含んだ電波を発信する位置情報発信器と、
トリガー信号が入力されるトリガー入力手段、自器に固有の機器データを保存している機器データ保存手段、及びトリガー信号が入力されると機器データを有線通信または無線通信で送信するデータ送信手段を具備する機器と、
前記位置情報発信器が発信する電波を受信する電波受信手段、受信した電波から自器の位置データを測定して取得する位置データ取得手段、機器から機器データを有線通信または無線通信で受信するデータ受信手段、及び位置データと機器データとを保存する設置位置情報保存手段を具備する設置位置情報測定器とを備えることを特徴とする設置位置情報測定システム。
【請求項２】
前記設置位置情報測定器は、前記機器のトリガー入力手段に有線通信または無線通信によってトリガー信号を送信するトリガ信号送信手段を備えることを特徴とする請求項１記載の設置位置情報測定システム。
【請求項３】
位置データを測定するための情報を含んだ電波を発信する位置情報発信器と、
前記位置情報発信器が発信する電波を受信する電波受信手段、受信した電波から自器の位置データを測定して取得する位置データ取得手段、トリガー信号を発生するトリガー信号発生手段、位置データとトリガー信号とを送信するデータ送信手段を具備する設置位置情報測定器と、
設置位置情報測定器から位置データとトリガー信号とを受信するデータ受信手段、自器に固有の機器データを保存している機器データ保存手段、及びトリガー信号が入力されると受信した位置データと保存している機器データとを送信するデータ送信手段を具備する機器と、
機器とネットワークを介して接続され、機器から位置データと機器データとを受信して保存する設置位置情報保存端末を備えることを特徴とする設置位置情報測定システム。
【請求項４】
前記位置情報発信器は公衆電波を発信することを特徴とする請求項１乃至３いずれか記載の設置位置情報測定システム。
【請求項５】
前記位置情報発信器は本システム専用の電波を発信することを特徴とする請求項１乃至３いずれか記載の設置位置情報測定システム。
【請求項６】
機器にトリガー信号を入力すると、機器に保存されている各機器固有の機器データが有線通信または無線通信で設置位置情報測定器に送信され、機器データを有線通信または無線通信で受信した設置位置情報測定器は、位置情報発信器が発信する電波を受信し、受信した電波から自器の位置データを測定して取得した後、位置データと機器データとを自器内に保存することを特徴とする設置位置情報測定方式。
【請求項７】
前記設置位置情報測定器は、前記機器に有線通信または無線通信によってトリガー信号を送信することを特徴とする請求項６記載の設置位置情報測定方式。
【請求項８】
設置位置情報測定器は、位置情報発信器が発信する電波を受信し、受信した電波から自器の位置データを測定して取得した後、位置データとトリガー信号とを機器に送信し、トリガー信号を受信した機器は受信した位置データと自器固有の機器データとを設置位置情報保存端末に送信し、設置位置情報保存端末は位置データと機器データとを保存することを特徴とする設置位置情報測定方式。
【請求項９】
前記位置情報発信器は公衆電波を発信することを特徴とする請求項６乃至８いずれか記載の設置位置情報測定方式。
【請求項１０】
前記位置情報発信器は本システム専用の電波を発信することを特徴とする請求項６乃至８いずれか記載の設置位置情報測定方式。
【発明の詳細な説明】
【０００１】
【発明の属する技術分野】
本発明は、設置位置情報測定システム、及び設置位置情報測定方式に関するものである。
【０００２】
【従来の技術】
ＨＡ（Ｈｏｍｅ　Ａｕｔｏｍａｔｉｏｎ）や、ＢＡ（Ｂｕｉｌｄｉｎｇ　Ａｕｔｏｍａｔｉｏｎ）などの設備システムにおいては、設備システムの機器を施工した後に、機器同士の関連付けを行うことで機器同士の連動制御を実現している。しかしながら、設備システム内には同じ機能を有する機器（例えば、スイッチ、照明等）が複数存在することがよくあるため、施工後に機器の設置位置の図面を確認しながら機器同士の関連付けを行う必要があった。
【０００３】
次に、機器に対して設置位置情報を設定するツール（設置位置情報設定器１０２）を用いる従来例を図１３に示す。この従来例の設備システムは、機器として、電力線Ｌ２に接続されたコンセント１０３ａ，１０３ｂ、照明器具１０３ｃ，１０３ｄ，１０３ｅ、及び照明スイッチ１０３ｆを備えている。これらの各機器は、各々の機器データを有しており、コンセント１０３ａの機器データは例えば［名称：コンセント、製造番号：１１］、コンセント１０３ｂの機器データは例えば［名称：コンセント、製造番号：１０］、照明器具１０３ｃの機器データは例えば［名称：照明器具、製造番号：０１］、照明器具１０３ｄの機器データは例えば［名称：照明器具、製造番号：０２］、照明器具１０３ｅの機器データは例えば［名称：照明器具、製造番号：０３］、照明スイッチ１０３ｆの機器データは例えば［名称：照明スイッチ、製造番号：２１］である。
【０００４】
そして、設置位置情報設定器１０２を操作して、各々の位置データを各機器に対して設定していた。ここで、位置データとは、例えばリビング，ダイニング，寝室といった各機器の設置位置を示す情報（設置位置情報）である。
【０００５】
【発明が解決しようとする課題】
しかし前記従来の技術においては、設置位置情報設定器１０２を操作して位置データを手入力する必要があり、手間を要するという問題点があった。また、従来の位置データはリビング，ダイニング，寝室という施工現場のみで通用するデータであり、これらの位置データを他の情報と連係（リンク）させて利用することが難しく、さらに、これらの位置データの種類には限界があるため、重複した位置データが設定されてしまうという問題点もあった。
【０００６】
本発明は、上記事由に鑑みてなされたものであり、その目的は、機器の位置データ（設置位置情報）を容易に測定，設定できる設置位置情報測定システム、及び設置位置情報測定方式を提供することにある。
【０００７】
【課題を解決するための手段】
請求項１の発明は、位置データを測定するための情報を含んだ電波を発信する位置情報発信器と、トリガー信号が入力されるトリガー入力手段、自器に固有の機器データを保存している機器データ保存手段、及びトリガー信号が入力されると機器データを有線通信または無線通信で送信するデータ送信手段を具備する機器と、前記位置情報発信器が発信する電波を受信する電波受信手段、受信した電波から自器の位置データを測定して取得する位置データ取得手段、機器から機器データを有線通信または無線通信で受信するデータ受信手段、及び位置データと機器データとを保存する設置位置情報保存手段を具備する設置位置情報測定器とを備えることを特徴とする。
【０００８】
請求項２の発明は、請求項１において、前記設置位置情報測定器は、前記機器のトリガー入力手段に有線通信または無線通信によってトリガー信号を送信するトリガ信号送信手段を備えることを特徴とする。
【０００９】
請求項３の発明は、位置データを測定するための情報を含んだ電波を発信する位置情報発信器と、前記位置情報発信器が発信する電波を受信する電波受信手段、受信した電波から自器の位置データを測定して取得する位置データ取得手段、トリガー信号を発生するトリガー信号発生手段、位置データとトリガー信号とを送信するデータ送信手段を具備する設置位置情報測定器と、設置位置情報測定器から位置データとトリガー信号とを受信するデータ受信手段、自器に固有の機器データを保存している機器データ保存手段、及びトリガー信号が入力されると受信した位置データと保存している機器データとを送信するデータ送信手段を具備する機器と、機器とネットワークを介して接続され、機器から位置データと機器データとを受信して保存する設置位置情報保存端末を備えることを特徴とする。
【００１０】
請求項４の発明は、請求項１乃至３いずれかにおいて、前記位置情報発信器は公衆電波を発信することを特徴とする。
【００１１】
請求項５の発明は、請求項１乃至３いずれかにおいて、前記位置情報発信器は本システム専用の電波を発信することを特徴とする。
【００１２】
請求項６の発明は、機器にトリガー信号を入力すると、機器に保存されている各機器固有の機器データが有線通信または無線通信で設置位置情報測定器に送信され、機器データを有線通信または無線通信で受信した設置位置情報測定器は、位置情報発信器が発信する電波を受信し、受信した電波から自器の位置データを測定して取得した後、位置データと機器データとを自器内に保存することを特徴とする。
【００１３】
請求項７の発明は、請求項６において、前記設置位置情報測定器は、前記機器に有線通信または無線通信によってトリガー信号を送信することを特徴とする。
【００１４】
請求項８の発明は、設置位置情報測定器は、位置情報発信器が発信する電波を受信し、受信した電波から自器の位置データを測定して取得した後、位置データとトリガー信号とを機器に送信し、トリガー信号を受信した機器は受信した位置データと自器固有の機器データとを設置位置情報保存端末に送信し、設置位置情報保存端末は位置データと機器データとを保存することを特徴とする。
【００１５】
請求項９の発明は、請求項６乃至８いずれかにおいて、前記位置情報発信器は公衆電波を発信することを特徴とする。
【００１６】
請求項１０の発明は、請求項６乃至８いずれかにおいて、前記位置情報発信器は本システム専用の電波を発信することを特徴とする。
【００１７】
【発明の実施の形態】
以下、本発明の実施の形態を図面に基づいて説明する。
【００１８】
（実施形態１）
本実施形態の設置位置情報測定システムの構成は、図１に示すように、位置データを測定するための情報を含む電波を発信する複数の位置情報発信器１ａ〜１ｎと、位置情報発信器１ａ〜１ｎからの電波を受信して、自器の位置データ（設置位置情報）を測定して取得する設置位置情報測定器２と、自器に固有の機器データを有する機器３とから構成され、設置位置情報測定器２と機器３とは電力線Ｌ１を介して接続されている。
【００１９】
位置情報発信器１ａ〜１ｎは、各々が電波発信機能、時計機能を備えており、時刻情報を電波に乗せて発信する。
【００２０】
設置位置情報測定器２は、位置測定部２１と、処理判断部２２と、有線通信部２３と、データ保存部２５とを具備している。処理判断部２２は本器の各制御処理を行うもので、位置測定部２１に対して現在の位置データの取得を要求し、有線通信部２３に対してデータの送受信要求を行い、さらにデータ保存部２５に対してデータの保存や取得要求を行う。
【００２１】
位置測定部２１は、位置情報発信器１ａ〜１ｎが発信する電波を受信して、その電波に含まれる時刻情報と自器が持つ時刻情報との差を計算することによって自器の位置データを測定して取得する。
【００２２】
有線通信部２３は、処理判断部２２から送信要求されたデータを有線信号に変換し電力線Ｌ１を介して機器３に送信したり、機器３から電力線Ｌ１を介して送信されてきた有線信号を受信して処理判断部２２に通知する。
【００２３】
データ保存部２５は、処理判断部２２から保存要求された位置データ−機器データの対応データや、現場のレイアウトデータを保存したり、処理判断部２２に取得要求されたレイアウトデータ等を通知する。
【００２４】
機器３は、有線通信部３２と、処理判断部３３と、機器データ保存部３４と、トリガー入力部３５とを具備している。処理判断部３３は本器の各制御処理を行うもので、有線通信部３２に対してデータの送受信要求を行い、トリガー入力部３５からのイベント通知を受信し、さらに機器データ保存部３４に対してデータの保存や取得要求を行う。
【００２５】
有線通信部３２は、処理判断部３３から送信要求されたデータを有線信号に変換し電力線Ｌ１を介して設置位置情報測定器２に送信したり、設置位置情報測定器２から電力線Ｌ１を介して送信されてきた有線信号を受信して処理判断部３３に通知する。
【００２６】
機器データ保存部３４は、機器自身を特定するために自器固有の情報（機器名称、製造Ｎｏ．、機器ＩＤ等）を保存しており、処理判断部３３に取得要求されたこれらの機器データを通知する。
【００２７】
トリガー入力部３５は、トリガー信号が入力されると、処理判断部３３にイベント通知を行う。処理判断部３３はイベント通知を受信すると、機器データ保存部３４から機器データを取得して有線通信部３２から設置位置情報測定器２への機器データの送信を行う。
【００２８】
また、上記図１に示す設置位置情報測定システムにおいては、有線通信部２３，３２と電力線Ｌ１を用いた有線通信を行っているが、図２に示すように、有線通信部２３，３２と電力線Ｌ１の代わりに無線通信部２４，３１を用いて、データの授受を行う構成もある。
【００２９】
上記図１または図２に示す構成を備える設置位置情報測定システムにおいて、位置データの測定を行うための通信シーケンスを図３〜５に示す。まず、図３に示す通信シーケンスを行う設置位置情報測定方式について説明する。ここでのトリガー入力方法は、機器３自身にトリガー信号発生手段とハードウェアスイッチとを備えており、スイッチを操作することでトリガー入力部３５にトリガー信号を出力するもので、トリガー信号を受信したトリガー入力部３５は処理判断部３３にイベント通知を行う。処理判断部３３はイベント通知を受信すると、機器データ保存部３４から機器データを取得して有線通信部３２（図１）または無線通信部３１（図２）から設置位置情報測定器２への機器データの送信を行う。有線通信部２３（図１）または無線通信部２４（図２）を介して機器データを受信した設置位置情報測定器２の処理判断部２２は位置測定部２１に対して現在の位置データの取得を要求し、位置測定部２１は位置情報発信器１ａ，１ｂが発信する電波を受信して、その電波に含まれる時刻情報と自器が持つ時刻情報との差を計算することによって自器の位置データを測定して取得する。設置位置情報測定器２は取得した位置データ−機器データの対応データをデータ保存部２５に保存する。
【００３０】
次に、図４に示す通信シーケンスを行う設置位置情報測定方式は、図３に示す設置位置情報測定方式とトリガー入力方法が異なり、設置位置情報測定器２がトリガー信号発生手段とハードウェアスイッチとを備えており、設置位置情報測定器２のスイッチを操作することで有線通信部２３（図１）または無線通信部２４（図２）からトリガー信号を送信して、機器３は有線通信部３２（図１）または無線通信部３１（図２）を介してトリガー入力部３５がトリガー信号を受信し、トリガー信号を受信したトリガー入力部３５は処理判断部３３にイベント通知を行うものである。以降の通信シーケンスは図３と同様であり説明は省略する。
【００３１】
さらに、図５に示す通信シーケンスを行う設置位置情報測定方式は、機器３に電力線を介して接続したデータ保持端末４を別途設けて、データ保持端末４に位置データ−機器データの対応データを保存するものであって、最初に設置位置情報測定器２の処理判断部２２が位置測定部２１に対して現在の位置データの取得を要求し、位置測定部２１は位置情報発信器１ａ，１ｂが発信する電波を受信して、その電波に含まれる時刻情報と自器が持つ時刻情報との差を計算することによって自器の位置データを測定して取得する。
【００３２】
ここで、設置位置情報測定器２がトリガー信号発生手段を備えており、設置位置情報測定器２の処理判断部２２は取得した位置データとトリガ信号とを有線通信部２３（図１）または無線通信部２４（図２）から送信し、機器３は、有線通信部３２（図１）または無線通信部３１（図２）を介して処理判断部３３が位置データを受信し、トリガー入力部３５がトリガー信号を受信して、トリガー入力部３５は処理判断部３３にイベント通知を行う。処理判断部３３はイベント通知を受信すると、機器データ保存部３４から機器データを取得した後、データ保持端末４への位置データ−機器データの対応データの送信を行い、データ保持端末４は受信した位置データ−機器データの対応データを保存する。
【００３３】
次に、上記設置位置情報測定システムを用いたより具体的な例について説明する。まず、図６に示すように戸建て住宅システム内にコンセント３ａ，３ｂ、照明器具３ｃ，３ｄ，３ｅ、及び照明スイッチ３ｆ等の複数の機器が電力線Ｌ２に接続されて既に施工されており、位置情報発信器としてはＧＰＳ（ＧｌｏｂａｌＰｏｓｉｔｉｏｎｉｎｇ　Ｓｙｓｔｅｍ）電波を発信するＧＰＳ衛星のＧＰＳ発信器１０ａ〜１０ｃを用いたシステムを考える。なお、設置位置情報測定器２は、位置測定部として、ＧＰＳ衛星からの信号を受信し、受信地点の位置を測定するＧＰＳ受信部２８を備えている。ＧＰＳ受信部２８は、複数のＧＰＳ衛星のＧＰＳ発信器１０ａ〜１０ｃからのＧＰＳ電波を捕捉し、ＧＰＳ電波より得られる衛星航法メッセージから求めた各衛星（すなわちＧＰＳ発信器１０ａ〜１０ｃ）の位置情報及び時刻情報と、ＧＰＳ発信器１０ａ〜１０ｃが電波を発信した時刻とＧＰＳ受信部２８が該当するＧＰＳ電波を受信した時刻との差と、計測したドップラー周波数からＧＰＳ発信器１０ａ〜１０ｃとＧＰＳ受信部２８との間の各擬似距離およびドップラーシフトとを算出した後、これらを用いてＧＰＳ受信部２８の内部クロックの誤差を含めて、ＧＰＳ受信部２８の３次元位置あるいは２次元位置等を演算により算出する。
【００３４】
また各機器は、各々の機器データを有しており、コンセント３ａの機器データは例えば［名称：コンセント、製造番号：１１、ＮｅｔＩＤ：２０、ＮｏｄｅＩＤ：ＦＦＦＥ］、コンセント３ｂの機器データは例えば［名称：コンセント、製造番号：１０、ＮｅｔＩＤ：２０、ＮｏｄｅＩＤ：ＦＦＦＦ］、照明器具３ｃの機器データは例えば［名称：照明器具、製造番号：０１、ＮｅｔＩＤ：２０、ＮｏｄｅＩＤ：ＦＦ０Ａ］、照明器具３ｄの機器データは例えば［名称：照明器具、製造番号：０２、ＮｅｔＩＤ：２０、ＮｏｄｅＩＤ：ＦＦ０Ｂ］、照明器具３ｅの機器データは例えば［名称：照明器具、製造番号：０３、ＮｅｔＩＤ：２０、ＮｏｄｅＩＤ：ＦＦ０Ｃ］、照明スイッチ３ｆの機器データは例えば［名称：照明スイッチ、製造番号：２１、ＮｅｔＩＤ：２１、ＮｏｄｅＩＤ：ＦＦ１Ａ］である。
【００３５】
ここで図７に示すように、設置位置情報測定器２は、位置測定部として、ＧＰＳ発信器１０ａ〜１０ｃからのＧＰＳ電波を受信し、ＧＰＳ電波を基に現在の自器の位置データを取得するＧＰＳ受信部２８、及び電力線Ｌ１を介した有線通信を行う有線通信部２３と無線通信を行う無線通信部２４との両方を備えており、さらに全ての機器３ａ〜３ｆは、電力線Ｌ１を介した有線通信を行う有線通信部３２と無線通信を行う無線通信部３１との両方を備えており、データの有線通信と無線通信との両方を行うことができる。なお、図１，２と同様の構成には同一の符号を付して説明は省略する。
【００３６】
以下、図６に示すシステム中のコンセント３ｂの位置データを測定する場合を例にとって、本願の設置位置情報測定方式について説明する。まず、図３に示す通信シーケンスでデータの有線通信を行う場合について、図８を用いて以下説明する。施工業者は設置位置測定器２の電力線Ｌ１の端末に接続したコンセントプラグ２６を測定したいコンセント（この場合はコンセント３ｂ）に差し込む。ここで、コンセント３ｂはハードウェアスイッチＳＷを備えており、スイッチＳＷをオン状態に設定することでトリガー入力部３５にトリガー信号を入力するもので、トリガー信号を受信したトリガー入力部３５は処理判断部３３にイベント通知を行う。処理判断部３３はイベント通知を受信すると、機器データ保存部３４から機器データ［名称：コンセント、製造番号：１０、ＮｅｔＩＤ：２０、ＮｏｄｅＩＤ：ＦＦＦＦ］を取得して有線通信部３２から設置位置情報測定器２への機器データの送信を行う。コンセントプラグ２６、電力線Ｌ１、有線通信部２３を介した電力線通信によって機器データを受信した設置位置情報測定器２の処理判断部２２はＧＰＳ受信部２８に対して現在の位置データの取得を要求し、ＧＰＳ受信部２８はＧＰＳ発信器１０ａ〜１０ｃが発信するＧＰＳ電波を受信して、そのＧＰＳ電波を基に現在の自器の位置データを測定して取得する。設置位置情報測定器２は取得した位置データ−機器データの対応データをデータ保存部２５に保存する。
【００３７】
なお、データ保存部２５に戸建て住宅のレイアウトデータを保存しておき、ＧＰＳ発信器１０ａ〜１０ｃから得た位置データとレイアウトデータとの対応をとることで、設置位置情報測定器２が備える表示部２７に戸建て住宅のレイアウトを表示し、さらにそのレイアウト上に機器を配置して表示することができる。
【００３８】
また、コンセント以外の機器（例えば照明器具や照明スイッチ）の位置データを測定する場合は、測定したい機器の最寄のコンセントに設置位置情報測定器２を差し込んだ後で、設置位置情報測定器２を機器の傍に持っていくことで機器の位置データを測定する。
【００３９】
次に、図３に示す通信シーケンスでデータの無線通信を行う場合について、図９を用いて以下説明する。ここで、設置位置情報測定器２は無線通信部として赤外線通信部２４ａを備え、コンセント３ｂは無線通信部として赤外線通信部３１ａを備えて、赤外線通信によって無線通信を行っている。まず、施工業者は設置位置測定器２の赤外線通信部２４ａを測定したいコンセント（この場合はコンセント３ｂ）の赤外線通信部３１ａに押し当てる。ここで、コンセント３ｂはハードウェアスイッチＳＷを備えており、スイッチＳＷをオン状態に設定することでトリガー入力部３５にトリガー信号を入力するもので、トリガー信号を受信したトリガー入力部３５は処理判断部３３にイベント通知を行う。処理判断部３３はイベント通知を受信すると、機器データ保存部３４から機器データ［名称：コンセント、製造番号：１０、ＮｅｔＩＤ：２０、ＮｏｄｅＩＤ：ＦＦＦＦ］を取得して赤外線通信部３１ａから設置位置情報測定器２への機器データの送信を行う。赤外線通信部２４ａを介して機器データを受信した設置位置情報測定器２の処理判断部２２はＧＰＳ受信部２８に対して現在の位置データの取得を要求し、ＧＰＳ受信部２８はＧＰＳ発信器１０ａ〜１０ｃが発信するＧＰＳ電波を受信して、そのＧＰＳ電波を基に現在の自器の位置データを測定して取得する。設置位置情報測定器２は取得した位置データ−機器データの対応データをデータ保存部２５に保存する。
【００４０】
さらに、図４に示す通信シーケンスでデータの有線通信を行う場合について、図１０を用いて以下説明する。施工業者は設置位置測定器２のコンセントプラグ２６を測定したいコンセント（この場合はコンセント３ｂ）に差し込む。ここで設置位置情報測定器２が機器データ要求コマンド（トリガー信号）発生手段を備えており、予め取得しておいたコンセント３ｂのＮｅｔＩＤとＮｏｄｅＩＤとに基づいて、有線通信部２３から機器データ要求コマンドを送信し、コンセント３ｂは電力線Ｌ１、コンセントプラグ２６、有線通信部３２を介した電力線通信によってトリガー入力部３５が機器データ要求コマンドを受信し、機器データ要求コマンドを受信したトリガー入力部３５は処理判断部３３にイベント通知を行う。以降の通信シーケンスは、図８の通信シーケンスと同様であり、説明は省略する。
【００４１】
次に、図５に示す通信シーケンスでデータの有線通信を行う場合について、図１１を用いて以下説明する。本実施形態はデータ保持端末４をコンセント３ｂと電力線Ｌ２を介して接続しており、データ保持端末４に位置データ−機器データの対応データ、戸建て住宅のレイアウトデータ、及び地図データ等を保存するものである。まず、施工業者は設置位置測定器２のコンセントプラグ２６を測定したいコンセント（この場合はコンセント３ｂ）に差し込む。次に、設置位置情報測定器２の処理判断部２２はＧＰＳ受信部２８に対して現在の位置データの取得を要求し、ＧＰＳ受信部２８はＧＰＳ発信器１０ａ〜１０ｃが発信するＧＰＳ電波を受信して、そのＧＰＳ電波を基に現在の自器の位置データを測定して取得する。そして設置位置情報測定器２は位置データとトリガー信号を含む位置データ通知コマンドを発生する位置データ通知コマンド発生手段を備えており、予め取得しておいたコンセント３ｂのＮｅｔＩＤとＮｏｄｅＩＤとに基づいて、有線通信部２３から位置データ通知コマンドを送信して、コンセント３ｂは電力線Ｌ１、コンセントプラグ２６、有線通信部３２を介した電力線通信によってトリガー入力部３５がトリガー信号を受信し、トリガー信号を受信したトリガー入力部３５は処理判断部３３にイベント通知を行う。処理判断部３３はイベント通知を受信すると、機器データ保存部３４から機器データ［名称：コンセント、製造番号：１０、ＮｅｔＩＤ：２０、ＮｏｄｅＩＤ：ＦＦＦＦ］を取得して有線通信部３２からデータ保持端末４への位置データ−機器データの対応データの送信を行う。電力線Ｌ２を介した電力線通信によって位置データ−機器データの対応データを受信したデータ保持端末４は受信した位置データ−機器データの対応データを保存する。
【００４２】
ここでの位置データは、ＧＰＳ発信器からのＧＰＳ電波（公衆電波）を基にして測定されており、例えば「緯度５０．９２、経度１３５，２３」という絶対位置データとして測定することができる。したがって、従来例のように施工業者が設置位置情報測定器に対して、「リビング」、「寝室」等の位置データを手入力する必要がなくなり、位置データの設定が容易になる。また、入力する位置データの名称の重複をほぼ避けることができ、より正確な設置位置情報を設定することが可能となる。
【００４３】
さらに、データ保持サーバ４では、戸建て住宅のレイアウトデータ、及び地図データ等の様々なデータも保持しており、測定した位置データや機器データをこれらの他のデータとリンクさせることもできる。
【００４４】
（実施形態２）
本実施形態の設置位置情報測定システムの構成は、図１２に示すように、位置情報発信器として、本システム専用の独自電波（例えばミリ波）を発信する独自電波発信器１１ａ〜１１ｄを用いたもので、設置位置情報測定器２は独自電波受信部２９を備えて、独自電波発信器１１ａ〜１１ｄからの独自電波を受信し、独自電波を基に現在の自器の位置データを取得している。他の構成は実施形態１と同様であり、同様の構成には同一の符号を付して説明は省略する。
【００４５】
戸建て住宅システム内において、予め戸建て住宅の敷地の４角に独自電波発信器１１ａ〜１１ｄを設置しておき、独自電波発信器１１ａ〜１１ｄのＸ軸，Ｙ軸の座標を各々設定しておく。本実施形態では、独自電波発信器１１ａ［Ｘ軸：０．００，Ｙ軸：０．００］、独自電波発信器１１ｂ［Ｘ軸：１００．００，Ｙ軸：０．００］、独自電波発信器１１ｃ［Ｘ軸：０．００，Ｙ軸：１００．００］、独自電波発信器１１ｄ［Ｘ軸：８５．２３，Ｙ軸：１００．００］に設定してあり、設置位置情報測定器２はこれら４つの独自電波発信器１１ａ〜１１ｄからの電波を基に敷地内における自器の相対的な位置データを測定する。この相対的な位置データは、例えば［Ｘ軸：６０．２５，Ｙ軸：３０．８１］という形で表され、独自電波発信器１１ａ〜１１ｄはＧＰＳ発信器に比べて設置位置情報測定器２との距離が近いため、より正確に機器の位置データを測定することができる。
【００４６】
また、４角に設置した独自電波発信器１１ａ〜１１ｄの各々の位置データをＧＰＳ受信器によって測定しておくことで、［Ｘ軸：６０．２５，Ｙ軸：３０．８１］という相対位置データを、「緯度＊＊，経度＊＊」という絶対位置データに変換することも可能となる。
【００４７】
【発明の効果】
上述のように、請求項１の発明は、位置データを測定するための情報を含んだ電波を発信する位置情報発信器と、トリガー信号が入力されるトリガー入力手段、自器に固有の機器データを保存している機器データ保存手段、及びトリガー信号が入力されると機器データを有線通信または無線通信で送信するデータ送信手段を具備する機器と、前記位置情報発信器が発信する電波を受信する電波受信手段、受信した電波から自器の位置データを測定して取得する位置データ取得手段、機器から機器データを有線通信または無線通信で受信するデータ受信手段、及び位置データと機器データとを保存する設置位置情報保存手段を具備する設置位置情報測定器とを備えるので、機器が設置されている場所や使用されている位置を設置位置情報測定器自身が測定、取得することで、施工済の機器の位置データ（設置位置情報）の測定，設定が容易になるという効果がある。また機器データを無線通信で授受する場合は、通信線を接続する必要がなく、有線通信に比べてより柔軟に機器の設置位置情報を測定，設定することができる。
【００４８】
請求項２の発明は、請求項１において、前記設置位置情報測定器は、前記機器のトリガー入力手段に有線通信または無線通信によってトリガー信号を送信するトリガ信号送信手段を備えるので、機器側にトリガー信号発生手段を付加することが不要となり、機器側のハードウェアを変更すること無しに機器情報を取得することができるという効果がある。またトリガー信号を無線通信で授受する場合は、通信線を接続する必要がなく、有線通信に比べてより柔軟にシステムを構成することができる。
【００４９】
請求項３の発明は、位置データを測定するための情報を含んだ電波を発信する位置情報発信器と、前記位置情報発信器が発信する電波を受信する電波受信手段、受信した電波から自器の位置データを測定して取得する位置データ取得手段、トリガー信号を発生するトリガー信号発生手段、位置データとトリガー信号とを送信するデータ送信手段を具備する設置位置情報測定器と、設置位置情報測定器から位置データとトリガー信号とを受信するデータ受信手段、自器に固有の機器データを保存している機器データ保存手段、及びトリガー信号が入力されると受信した位置データと保存している機器データとを送信するデータ送信手段を具備する機器と、機器とネットワークを介して接続され、機器から位置データと機器データとを受信して保存する設置位置情報保存端末を備えるので、位置データと機器データとを設置位置情報保存端末に保存することで、設置位置情報保存端末上に保存してあるレイアウトデータやマップ情報等の各種情報と連係させた処理を行うことができ、例えば機器の設置位置をレイアウトあるいはマップ上で確認して、機器に対する遠隔監視制御や設定等を容易に行うことができるという効果がある。
【００５０】
請求項４の発明は、請求項１乃至３いずれかにおいて、前記位置情報発信器は公衆電波を発信するので、絶対位置データを得ることで位置データの名称の重複をほぼ避けることができ、より正確な設置位置情報を設定することができ、さらに屋外でも位置データを測定，取得することができるという効果がある。
【００５１】
請求項５の発明は、請求項１乃至３いずれかにおいて、前記位置情報発信器は本システム専用の電波を発信するので、ミリ波等の独自電波を用いることで、より正確に位置データを測定，取得することができるという効果がある。
【００５２】
請求項６の発明は、機器にトリガー信号を入力すると、機器に保存されている各機器固有の機器データが有線通信または無線通信で設置位置情報測定器に送信され、機器データを有線通信または無線通信で受信した設置位置情報測定器は、位置情報発信器が発信する電波を受信し、受信した電波から自器の位置データを測定して取得した後、位置データと機器データとを自器内に保存するので、機器が設置されている場所や使用されている位置を設置位置情報測定器自身が測定、取得することで、施工済の機器の位置データ（設置位置情報）の測定，設定が容易になるという効果がある。また機器データを無線通信で授受する場合は、通信線を接続する必要がなく、有線通信に比べてより柔軟に機器の設置位置情報を測定，設定することができる。
【００５３】
請求項７の発明は、請求項６において、前記設置位置情報測定器は、前記機器に有線通信または無線通信によってトリガー信号を送信するので、機器側にトリガー信号発生手段を付加することが不要となり、機器側のハードウェアを変更すること無しに機器情報を取得することができるという効果がある。またトリガー信号を無線通信で授受する場合は、通信線を接続する必要がなく、有線通信に比べてより柔軟にシステムを構成することができる。
【００５４】
請求項８の発明は、設置位置情報測定器は、位置情報発信器が発信する電波を受信し、受信した電波から自器の位置データを測定して取得した後、位置データとトリガー信号とを機器に送信し、トリガー信号を受信した機器は受信した位置データと自器固有の機器データとを設置位置情報保存端末に送信し、設置位置情報保存端末は位置データと機器データとを保存するので、位置データと機器データとを設置位置情報保存端末に保存することで、設置位置情報保存端末上に保存してあるレイアウトデータやマップ情報等の各種情報と連係させた処理を行うことができ、例えば機器の設置位置をレイアウトあるいはマップ上で確認して、機器に対する遠隔監視制御や設定等を容易に行うことができるという効果がある。
【００５５】
請求項９の発明は、請求項６乃至８いずれかにおいて、前記位置情報発信器は公衆電波を発信するので、絶対位置データを得ることで位置データの名称の重複をほぼ避けることができ、より正確な設置位置情報を設定することができ、さらに屋外でも位置データを測定，取得することができるという効果がある。
【００５６】
請求項１０の発明は、請求項６乃至８いずれかにおいて、前記位置情報発信器は本システム専用の電波を発信するので、ミリ波等の独自電波を用いることで、より正確に位置データを測定，取得することができるという効果がある。
【図面の簡単な説明】
【図１】本発明の実施形態１の設置位置情報測定システムの第１の構成を示す図である。
【図２】同上の第２の構成を示す図である。
【図３】同上の第１の通信シーケンスを示す図である。
【図４】同上の第２の通信シーケンスを示す図である。
【図５】同上の第３の通信シーケンスを示す図である。
【図６】同上の設置位置情報測定システムを戸建て住宅に用いた構成を示す図である。
【図７】同上の第３の構成を示す図である。
【図８】同上の第１の外観構成を示す図である。
【図９】同上の第２の外観構成を示す図である。
【図１０】同上の第３の外観構成を示す図である。
【図１１】同上の第４の外観構成を示す図である。
【図１２】本発明の実施形態２の設置位置情報測定システムの構成を示す図である。
【図１３】従来の設置位置情報測定システムの構成を示す図である。
【符号の説明】
１ａ．．．１ｎ　位置情報発信器
２　設置位置情報測定器
３　機器
２１　位置測定部
２２，３３　処理判断部
２３，３２　有線通信部
２５　データ保存部
３４　機器データ保存部
３５　トリガ入力部
【図１】
2004061246.tif 000003
【図２】
2004061246.tif 000004
【図３】
2004061246.tif 000005
【図４】
2004061246.tif 000006
【図５】
2004061246.tif 000007
【図６】
2004061246.tif 000008
【図７】
2004061246.tif 000009
【図８】
2004061246.tif 000010
【図９】
2004061246.tif 000011
【図１０】
2004061246.tif 000012
【図１１】
2004061246.tif 000013
【図１２】
2004061246.tif 000014
【図１３】
2004061246.tif 000015